(57)【要約】【課題】、ソース装置から各シンク装置に、より効率的にデータを配信する「ＤＶＤビデオ再生システム」を提供する。【解決手段】モニタシステムＡのシンク装置５１の再生対象オーディオストリームのストリーム番号がAST#2であり、モニタシステムＢのシンク装置５１の再生対象オーディオストリームのストリーム番号がAST#１である場合（ａ）、ソース装置１は、各シンク装置５１に配信するVOBUには、A_PACKとして、DVD-Videoディスク２から読み出したVOBUに含まれている各オーディオストリームAST#１-AST#3に対応するA_PACKのうちから抽出したAST#１のストリーム番号のオーディオストリームのA_PACKと、AST#2のストリーム番号のオーディオストリームのA_PACKのみを含める。【選択図】図５
2007142733.tif 000002
【特許請求の範囲】
【請求項１】
DVD-Videoディスクからデータを読み出すソース装置と、ソース装置に伝送路を介して接続した、出力対象とするオーディオストリームを各々個別に設定可能な複数のシンク装置とを有するＤＶＤビデオ再生システムであって、
前記ソース装置は、
前記DVD-Videoディスクに記録されたプレゼンテーションのうちの再生対象とされたプレゼンテーションである再生対象プレゼンテーションの、少なくともビデオデータとオーディオデータとを含むプレゼンテーションデータを前記DVD-Videoディスクから読み出し、読み出したビデオデータとオーディオデータとを含めた配信データを、前記各シンク装置に配信する配信手段と、
前記再生対象プレゼンテーションに含まれる１または複数のオーディオストリームのうちから、少なくともいずれか一つのシンク装置で出力対象となっているオーディオストリームを配信対象オーディオストリームとして選定するオーディオストリーム選定手段とを有し、
前記配信手段は、前記DVD-Videoディスクから読み出した再生対象プレゼンテーションのプレゼンテーションデータに含まれるオーディオデータのうちの、前記オーディオストリーム選定手段が選定した配信対象オーディオストリームのオーディオデータのみを、前記配信データに含めるオーディオデータとすることを特徴とするＤＶＤビデオ再生システム。
【請求項２】
DVD-Videoディスクからデータを読み出すソース装置と、ソース装置に伝送路を介して接続した、出力対象とするサブピクチャストリームを各々個別に設定可能な複数のシンク装置とを有するＤＶＤビデオ再生システムであって、
前記ソース装置は、
前記DVD-Videoディスクに記録されたプレゼンテーションのうちの再生対象とされたプレゼンテーションである再生対象プレゼンテーションの、少なくともビデオデータとサブピクチャデータとを含むプレゼンテーションデータを前記DVD-Videoディスクから読み出し、読み出したビデオデータとサブピクチャデータとを含めた配信データを、前記各シンク装置に配信する配信手段と、
前記再生対象プレゼンテーションに含まれる１または複数のサブピクチャストリームのうちから、少なくともいずれか一つのシンク装置で出力対象となっているサブピクチャストリームを配信対象サブピクチャストリームとして選定するサブピクチャストリーム選定手段とを有し、
前記配信手段は、前記DVD-Videoディスクから読み出した再生対象プレゼンテーションのプレゼンテーションデータに含まれるサブピクチャデータのうちの、前記サブピクチャストリーム選定手段が選定した配信対象サブピクチャストリームのサブピクチャデータのみを、前記配信データに含めるサブピクチャデータとすることを特徴とするＤＶＤビデオ再生システム。
【請求項３】
DVD-Videoディスクからデータを読み出すソース装置と、ソース装置に伝送路を介して接続した、出力対象とするアングルを各々個別に設定可能な複数のシンク装置とを有するＤＶＤビデオ再生システムであって、
前記ソース装置は、
前記DVD-Videoディスクに記録されたプレゼンテーションのうちの再生対象とされたプレゼンテーションである再生対象プレゼンテーションのプレゼンテーションデータを読み出し、前記各シンク装置に配信する配信手段と、
前記再生対象プレゼンテーションに含まれる１または複数のアングルのうちから、少なくともいずれか一つのシンク装置で出力対象となっているアングルを配信対象アングルとして選定するアングル選定手段とを有し、
前記配信手段は、前記DVD-Videoディスクに記録されている再生対象プレゼンテーションの各アングルに対応するプレゼンテーションデータのうちの、前記アングル選定手段が選定した配信対象アングルに対応するプレゼンテーションデータのみを、前記配信データに含めるプレゼンテーションデータとすることを特徴とするＤＶＤビデオ再生システム。
【請求項４】
請求項１記載のＤＶＤビデオ再生システムであって、
DVD-Videoディスクから読み出した再生対象プレゼンテーションのビデオデータのデータレートを、設定された変換後データレートに変換して、データレートを変換したビデオデータを前記配信手段が前記配信データに含めるビデオデータとするデータレート変換手段と、
前記オーディオストリーム選定手段が選定した配信対象オーディオストリームに基づいて推定される当該配信対象オーディオストリームのオーディオデータの伝送に使用される帯域に応じて、前記配信データの伝送に使用する帯域が所定の帯域となるように、前記変換後データレートを前記データレート変換手段に設定するデータレート制御手段とを有することを特徴とするＤＶＤビデオ再生システム。
【請求項５】
請求項２記載のＤＶＤビデオ再生システムであって、
DVD-Videoディスクから読み出した再生対象プレゼンテーションのビデオデータのデータレートを、設定された変換後データレートに変換して、データレートを変換したビデオデータを前記配信手段が前記配信データに含めるビデオデータとするデータレート変換手段と、
前記サブピクチャストリーム選定手段が選定した配信対象サブピクチャストリームに基づいて推定される当該配信対象サブピクチャストリームのサブピクチャデータの伝送に使用される帯域に応じて、前記配信データの伝送に使用する帯域が所定の帯域となるように、前記変換後データレートを前記データレート変換手段に設定するデータレート制御手段とを有することを特徴とするＤＶＤビデオ再生システム。
【請求項６】
請求項３記載のＤＶＤビデオ再生システムであって、
DVD-Videoディスクから読み出した再生対象プレゼンテーションのビデオデータのデータレートを、設定された変換後データレートに変換して、データレートを変換したビデオデータを前記配信手段が前記配信データに含めるビデオデータとするデータレート変換手段と、
前記アングル選定手段が選定した配信対象アングルに応じて、前記配信データの伝送に使用する帯域が所定の帯域となるように、前記変換後データレートを前記データレート変換手段に設定するデータレート制御手段とを有することを特徴とするＤＶＤビデオ再生システム。
【請求項７】
請求項１、２、３、４、５または６記載のＤＶＤビデオ再生システムであって、
当該ＤＶＤビデオ再生システムは、自動車に搭載されることを特徴とするＤＶＤビデオ再生システム。
【請求項８】
DVD-Videoディスクからデータを読み出すソース装置と、ソース装置に伝送路を介して接続した、出力対象とするオーディオストリームを各々個別に設定可能な複数のシンク装置とを有するＤＶＤビデオ再生システムにおいて、前記ソース装置から前記各シンク装置に、前記DVD-Videoディスクに記録されたプレゼンテーションのうちの再生対象とされたプレゼンテーションである再生対象プレゼンテーションの、少なくともビデオデータとオーディオデータとを含むプレゼンテーションデータを含めた配信データを配信するプレゼンテーションデータの配信方法であって、
前記ソース装置において、前記再生対象プレゼンテーションに含まれる１または複数のオーディオストリームのうちから、少なくともいずれか一つのシンク装置で出力対象となっているオーディオストリームを配信対象オーディオストリームとして選定するステップと、
前記ソース装置において、前記DVD-Videoディスクから読み出した再生対象プレゼンテーションのプレゼンテーションデータに含まれるオーディオデータのうちの、前記配信対象オーディオストリームのオーディオデータのみを、前記配信データに含めるオーディオデータとするステップとを有することを特徴とするＤＶＤビデオ再生システムにおけるプレゼンテーションデータの配信方法。
【請求項９】
DVD-Videoディスクからデータを読み出すソース装置と、ソース装置に伝送路を介して接続した、出力対象とするオーディオストリームを各々個別に設定可能な複数のシンク装置とを有するＤＶＤビデオ再生システムにおいて、前記ソース装置から前記各シンク装置に、DVD-Videoディスクに記録されたプレゼンテーションのうちの再生対象とされたプレゼンテーションである再生対象プレゼンテーションの、少なくともビデオデータとサブピクチャデータとを含むプレゼンテーションデータを含めた配信データを配信するプレゼンテーションデータの配信方法であって、
前記ソース装置において、再生対象プレゼンテーションに含まれる１または複数のサブピクチャストリームのうちから、少なくともいずれか一つのシンク装置で出力対象となっているサブピクチャストリームを配信対象サブピクチャストリームとして選定するステップと、
前記ソース装置において、前記DVD-Videoディスクから読み出した再生対象プレゼンテーションのプレゼンテーションデータに含まれるサブピクチャデータのうちの、前記配信対象サブピクチャストリームのサブピクチャデータのみを、前記配信データに含めるステップとを有することを特徴とするＤＶＤビデオ再生システムにおけるプレゼンテーションデータの配信方法。
【請求項１０】
DVD-Videoディスクからデータを読み出すソース装置と、ソース装置に伝送路を介して接続した、出力対象とするアングルを各々個別に設定可能な複数のシンク装置とを有するＤＶＤビデオ再生システムにおいて、前記ソース装置から前記各シンク装置に、DVD-Videoディスクに記録されたプレゼンテーションのうちの再生対象とされたプレゼンテーションである再生対象プレゼンテーションのプレゼンテーションデータを含めた配信データを配信するプレゼンテーションデータの配信方法であって、
前記ソース装置において、前記再生対象プレゼンテーションに含まれる１または複数のアングルのうちから、少なくともいずれか一つのシンク装置で出力対象となっているアングルを配信対象アングルとして選定するステップと、
前記ソース装置において、前記DVD-Videoディスクに記録されている再生対象プレゼンテーションの各アングルに対応するプレゼンテーションデータのうちの、前記アングル選定手段が選定した配信対象アングルに対応するプレゼンテーションデータのみを、前記配信データに含めるステップとを有することを特徴とするＤＶＤビデオ再生システムにおけるプレゼンテーションデータの配信方法。
【発明の詳細な説明】
【技術分野】
【０００１】
本発明は、複数の出力装置を用いて、DVD-Videoディスクの再生出力を行うＤＶＤビデオ再生システムに関するものである。
【背景技術】
【０００２】
複数の出力装置を用いて、DVD-Videoディスクの再生出力を行うＤＶＤビデオ再生システムとしては、DVD-Videoディスクの読み取りを行うＤＶＤドライブを備えたソース装置と、当該ソース装置とバスやネットワークで接続した複数のシンク装置とを備え、ソース装置においてＤＶＤドライブを介してDVD-Videoディスクに記録されているプレゼンテーションのデータを読み出して各シンク装置に配信すると共に、各シンク装置において配信されたデータが表すプレゼンテーションを出力するシステムが知られている（たとえば、特許文献１）。
【０００３】
また、このようなＤＶＤビデオ再生システムにおいて、ソース装置から各シンク装置に転送するデータとして、DVD-Videoディスクに記録されているビデオ、オーディオ、サブピクチャ等を多重化したPS（Program Stream)と、同様な構成を持つPSを用い、各シンク装置においてそれぞれ転送されたPSをデコードして出力することが提案されている。
【特許文献１】特表２００２-５３５１９７号公報
【発明の開示】
【発明が解決しようとする課題】
【０００４】
さて、上述のようなソース装置と複数のシンク装置を備えたＤＶＤビデオ再生システムにおいて、ソース装置から各シンク装置に配信するデータとしてPSを用いる利点としては、PSがオーディオなどについて複数のストリームを含む場合に、各シンク装置においてデコードし出力するストリームを個別に選択することができる点がある。
【０００５】
しかしながら、このようにすると、シンク装置のストリームの選択しだいによって、ソース装置から各シンク装置に配信するデータに含まれるストリームの一部が、いずれのシンク装置においてもデコードや出力に利用されない状況が生じる。そして、このような場合には、ソース装置の動作は、いずれのシンク装置でも利用されない不要なデータの配信を伝送帯域の一部を無駄に消費しつつ行うものとなるため、非効率的なものとなる。
【０００６】
そこで、本発明は、ソース装置と複数のシンク装置を備えたＤＶＤビデオ再生システムにおいて、ソース装置から各シンク装置に、より効率的にデータを配信することを課題とする。
【課題を解決するための手段】
【０００７】
前記課題達成のために、本発明は、DVD-Videoディスクからデータを読み出すソース装置と、ソース装置に伝送路を介して接続した、出力対象とするオーディオストリームを各々個別に設定可能な複数のシンク装置とを有するＤＶＤビデオ再生システムにおいて、前記ソース装置に、前記DVD-Videoディスクに記録されたプレゼンテーションのうちの再生対象とされたプレゼンテーションである再生対象プレゼンテーションの、少なくともビデオデータとオーディオデータとを含むプレゼンテーションデータを前記DVD-Videoディスクから読み出し、読み出したビデオデータとオーディオデータとを含めた配信データを、前記各シンク装置に配信する配信手段と、前記再生対象プレゼンテーションに含まれる１または複数のオーディオストリームのうちから、少なくともいずれか一つのシンク装置で出力対象となっているオーディオストリームを配信対象オーディオストリームとして選定するオーディオストリーム選定手段とを備え、前記配信手段において、前記DVD-Videoディスクから読み出した再生対象プレゼンテーションのプレゼンテーションデータに含まれるオーディオデータのうちの、前記オーディオストリーム選定手段が選定した配信対象オーディオストリームのオーディオデータのみを、前記配信データに含めるオーディオデータとするようにしたものである。
【０００８】
このようなＤＶＤビデオ再生システムによれば、ソース装置から各シンク装置に配信されるオーディオデータは、いずれかのシンク装置で実際に出力されるオーディオストリームのオーディオデータのみとなる。したがって、ソース装置から各シンク装置への効率的なデータ配信を実現することができる。
【０００９】
なお、このようなＤＶＤビデオ再生システムには、さらに、DVD-Videoディスクから読み出した再生対象プレゼンテーションのビデオデータのデータレートを、設定された変換後データレートに変換して、データレートを変換したビデオデータを前記配信手段が前記配信データに含めるビデオデータとするデータレート変換手段と、前記オーディオストリーム選定手段が選定した配信対象オーディオストリームに基づいて推定される当該配信対象オーディオストリームのオーディオデータの伝送に使用される帯域に応じて、前記配信データの伝送に使用する帯域が所定の帯域となるように、前記変換後データレートを前記データレート変換手段に設定するデータレート制御手段とを備えるようにしてもよい。
【００１０】
このようにすることにより、配信するオーディオデータを、いずれかのシンク装置で実際に出力されるオーディオストリームのオーディオデータに限定したことにより節約できた伝送帯域を利用して、配信するビデオデータのデータレートの増大、すなわち、各シンク装置において表示するビデオの画質を向上することができる。
【００１１】
また、前記課題達成のために、本発明は、VD-Videoディスクからデータを読み出すソース装置と、ソース装置に伝送路を介して接続した、出力対象とするサブピクチャストリームを各々個別に設定可能な複数のシンク装置とを有するＤＶＤビデオ再生システムにおいて、前記ソース装置に、前記DVD-Videoディスクに記録されたプレゼンテーションのうちの再生対象とされたプレゼンテーションである再生対象プレゼンテーションの、少なくともビデオデータとサブピクチャデータとを含むプレゼンテーションデータを前記DVD-Videoディスクから読み出し、読み出したビデオデータとサブピクチャデータとを含めた配信データを、前記各シンク装置に配信する配信手段と、前記再生対象プレゼンテーションに含まれる１または複数のサブピクチャストリームのうちから、少なくともいずれか一つのシンク装置で出力対象となっているサブピクチャストリームを配信対象サブピクチャストリームとして選定するサブピクチャストリーム選定手段とを備え、前記配信手段において、前記DVD-Videoディスクから読み出した再生対象プレゼンテーションのプレゼンテーションデータに含まれるサブピクチャデータのうちの、前記サブピクチャストリーム選定手段が選定した配信対象サブピクチャストリームのサブピクチャデータのみを、前記配信データに含めるサブピクチャデータとするようにしたものである。
【００１２】
このようなＤＶＤビデオ再生システムによれば、ソース装置から各シンク装置に配信されるサブピクチャデータは、いずれかのシンク装置で実際に出力されるサブピクチャストリームのサブピクチャデータのみとなる。したがって、ソース装置から各シンク装置への効率的なデータ配信を実現することができる。
【００１３】
なお、このようなＤＶＤビデオ再生システムには、さらに、DVD-Videoディスクから読み出した再生対象プレゼンテーションのビデオデータのデータレートを、設定された変換後データレートに変換して、データレートを変換したビデオデータを前記配信手段が前記配信データに含めるビデオデータとするデータレート変換手段と、前記サブピクチャストリーム選定手段が選定した配信対象サブピクチャストリームに基づいて推定される当該配信対象サブピクチャストリームのサブピクチャデータの伝送に使用される帯域に応じて、前記配信データの伝送に使用する帯域が所定の帯域となるように、前記変換後データレートを前記データレート変換手段に設定するデータレート制御手段とを備えるようにしてもよい。
【００１４】
このようにすることにより、配信するサブピクチャデータを、いずれかのシンク装置で実際に出力されるサブピクチャストリームのサブピクチャデータに限定したことにより節約できた伝送帯域を利用して、配信するビデオデータのデータレートを増大して、各シンク装置において表示するビデオの画質を向上することができる。
【００１５】
また、本発明は、前記課題達成のために、DVD-Videoディスクからデータを読み出すソース装置と、ソース装置に伝送路を介して接続した、出力対象とするアングルを各々個別に設定可能な複数のシンク装置とを有するＤＶＤビデオ再生システムにおいて、前記ソース装置に、前記DVD-Videoディスクに記録されたプレゼンテーションのうちの再生対象とされたプレゼンテーションである再生対象プレゼンテーションのプレゼンテーションデータを読み出し、前記各シンク装置に配信する配信手段と、前記再生対象プレゼンテーションに含まれる１または複数のアングルのうちから、少なくともいずれか一つのシンク装置で出力対象となっているアングルを配信対象アングルとして選定するアングル選定手段とを備え、前記配信手段において、前記DVD-Videoディスクに記録されている再生対象プレゼンテーションの各アングルに対応するプレゼンテーションデータのうちの、前記アングル選定手段が選定した配信対象アングルに対応するプレゼンテーションデータのみを、前記配信データに含めるプレゼンテーションデータとするようにしたものである。
【００１６】
このようなＤＶＤビデオ再生システムによれば、ソース装置から各シンク装置に配信されるプレゼンテーションデータは、いずれかのシンク装置で実際に出力されるアングルのプレゼンテーションデータのみとなる。したがって、ソース装置から各シンク装置への効率的なデータ配信を実現することができる。
【００１７】
なお、このようなＤＶＤビデオ再生システムには、さらに、DVD-Videoディスクから読み出した再生対象プレゼンテーションのビデオデータのデータレートを、設定された変換後データレートに変換して、データレートを変換したビデオデータを前記配信手段が前記配信データに含めるビデオデータとするデータレート変換手段と、前記アングル選定手段が選定した配信対象アングルに応じて、前記配信データの伝送に使用する帯域が所定の帯域となるように、前記変換後データレートを前記データレート変換手段に設定するデータレート制御手段とを備えるようにしてもよい。
【００１８】
このようにすることにより、配信するプレゼンテーションデータを、いずれかのシンク装置で実際に出力されるサブアングルのプレゼンテーションデータに限定したことにより節約できた伝送帯域を利用して、配信するビデオデータのデータレートを増大して、各シンク装置において表示するビデオの画質を向上することができる。
【００１９】
なお、以上の各ＤＶＤビデオ再生システムは、自動車に搭載されるものであって良い。
【発明の効果】
【００２０】
以上のように、本発明によれば、ソース装置と複数のシンク装置を備えたＤＶＤビデオ再生システムにおいて、ソース装置から各シンク装置に、より効率的にデータを配信することができる。
【発明を実施するための最良の形態】
【００２１】
以下、本発明の実施形態に係るＤＶＤビデオ再生システムについて、自動車に搭載されるＤＶＤビデオ再生システムへの適用を例にとり説明する。
図１に、本実施形態に係るＤＶＤビデオ再生システムの構成を示す。
図示するように、ＤＶＤビデオ再生システムは、ソース装置１、装着されたDVD-Videoディスク２のアクセスを行う、ソース装置１の外部記憶装置として設けられたＤＶＤドライブ３、車載ＬＡＮ４、１または複数のモニタシステム５を有している。そして、各モニタシステム５は、各々、シンク装置５１、シンク装置５１から入力するビデオを表示する表示装置５２、シンク装置５１から入力する音声を出力する音声を出力する音声出力装置５３、ユーザインタフェースユニット５４を備えている。
【００２２】
そして、ソース装置１と各シンク装置５１と各ユーザインタフェースユニット５４は車載ＬＡＮ４に接続されている。なお、車載ＬＡＮ４は、ＤＶＤビデオ再生システム以外の他のシステムと共用されるものであってよく、車載ＬＡＮ４には、他のシステムを構成する装置も接続されていてもよい。
【００２３】
次に、図２に、ソース装置１と、シンク装置５１の内部構成を示す。
図示するように、ソース装置１は、ナビゲーションマネージャ１１、ＰＳ多重分離部１２（PS-Demux１２)、ビデオトランスコード部１３、ＰＳ多重化部１４（PS-Mux１４)、車載ＬＡＮインタフェース１５とを有している。
また、各シンク装置５１は、ローカル車載ＬＡＮインタフェース５１１と、デコードマネージャ５１２と、プレゼンテーションエンジン５１３とを有する。そして、プレゼンテーションエンジン５１３は、ローカルＰＳ多重分離部５１３１（ローカルPS-Demux５１３１)、ビデオデコーダ５１３２、サブピクチャデコーダ５１３３、ＨＬＩデコーダ５１３４、オーディオデコーダ５１３５、合成処理部５１３６を有している。
【００２４】
さて、ここで、DVD-Videoディスク２には記録されるデータは、大別して、ユーザに対して出力するビデオタイトルやビジュアルメニューなどのプレゼンテーションの実体（ビデオやオーディオやサブピクチャなど）を格納したプレゼンテーションデータと、プレゼンテーションの実行を制御するためのナビゲーションデータとよりなる。
【００２５】
そして、プレゼンテーションデータとナビゲーションデータの一部はPS（Program Stream）としてDVD-Videoディスク２に記録されている。
また、DVD-Videoディスク２の再生は、図３に示すように、PGCを単位として行われる。PGCは１以上のPGを含み、PGは順次再生すべきアングルブロックとCELとより構成することができる。ここで、アングルブロックは、アングル番号に対応づけられた複数のCELより構成される。そして、このようなアングルブロックの再生は、アングルブロック内の複数のCELのうちの、再生対象のアングルのアングル番号としてユーザ操作などによって予め設定されたアングル番号に対応づけられた一つのCELを再生することにより行われる。なお、アングルブロックを構成するCELは、１または複数のアングル番号に対応づけることができるが、一つのアングル番号は一つのCELにのみ対応づけることができる。
【００２６】
次に、各CELLは、１以上のVOBUより構成される。そして、このVOBUの列がPSに相当する。なお、実際には、アングルブロックを構成する異なるCELLのVOBUは、１または複数のVOBU毎にインタリーブ配置される。
さて、各VOBUは一つのNV_PACKと０または１以上のV_PACKと０または１以上のA_PACKと０または１以上のSP_PACKより構成される。そして、NV_PACKは、再生制御情報PCIとデータサーチ情報DSIを有する。また、PCIには、メニューにおいて用いるボタンを定義するハイライト情報HLIが含まれる。
【００２７】
そして、VOBUのNV_PACKが前述したPS中のナビゲーションデータとなり、VOBUのV_PACK、A_PACK、SP_PACKがPS中のプレゼンテーションデータとなる。なお、V_PACKには動画データが格納されており、A_PACKにはオーディオデータが格納されており、SP_PACKにはサブピクチャのデータが格納されている。
【００２８】
ここで、VOBUには、複数のオーディオストリームについてのA_PACK、複数のサブピクチャストリームについてのSP_PACKを含めることができる。また、個々のA_PACKに含まれるオーディオストリームの識別は、そのA_PACKに含まれるstream_id、Sub_Stream_idによって示され、個々のSP_PACKに含まれるサブピクチャストリームの識別は、そのSP_PACKに含まれるstream_id、Sub_Stream_idによって示される。そして、VOBUに含まれるオーディオの再生は、そのVOBUに含まれる、ユーザ操作などに応じて選択した一つのオーディオストリームのA_PACKのオーディオデータを再生することによって行われ、VOBUに含まれるサブピクチャの再生は、そのVOBUに含まれる、ユーザ操作などに応じて選択した一つのサブピクチャストリームのSP_PACKのサブピクチャデータを再生することによって行われる。なお、図中では、オーディオストリームのストリーム番号N番をAST#Nとして、サブピクチャストリームのストリーム番号N番をSPST#Nとして示している。
【００２９】
さて、このような構成において、ソース装置１のＰＳ多重分離部１２は、ナビゲーションマネージャ１１が、ＤＶＤドライブ３を介してDVD-Videoディスク２から読み出してＰＳ多重分離部１２に供給するPSを構成する各VOBUを多重分離し、各VOBUから分離したNV_PACKをナビゲーションマネージャ１１とＰＳ多重化部１４に送り、PSから分離したV_PACKをビデオトランスコード部１３に送り、PSから分離したA_PACKとSP_PACKをＰＳ多重化部１４に送る。ただし、ＰＳ多重分離部１２は、供給されたVOBUに含まれるA_PACKについては、そのVOBUについてナビゲーションマネージャ１１から配信対象オーディオストリーム番号として設定されたストリーム番号のオーディオストリームのA_PACKのみを分離してＰＳ多重化部１４に送る。また、同様に、ＰＳ多重分離部１２は、供給されたVOBUに含まれるSP_PACKについては、そのVOBUについてナビゲーションマネージャ１１から配信対象サブピクチャストリーム番号として設定されたストリーム番号のサブピクチャストリームのSP_PACKのみを分離してＰＳ多重化部１４に送る。
【００３０】
次に、ビデオトランスコード部１３は、ＰＳ多重分離部１２から送られたV_PACKの動画データを、ナビゲーションマネージャ１１から設定されたデータレートの動画データに変換するレート変換を行い、レート変換後の動画データを格納した、V_PACKをＰＳ多重化部１４に送る。
【００３１】
そして、ＰＳ多重化部１４は、ビデオトランスコード部１３から送られたV_PACKと、ＰＳ多重分離部１２から送られたNV_PACKとA_PACKとSP_PACKを多重化してPSを再構成し、車載ＬＡＮインタフェース１５に出力する。そして、車載ＬＡＮインタフェース１５は、ＰＳ多重化部１４から入力するPSを車載ＬＡＮ４を介して各シンク装置５１に配信する。
【００３２】
一方、ナビゲーションマネージャ１１は、ＤＶＤドライブ３を介してDVD-Videoディスク２から読み出したナビゲーションデータやＰＳ多重分離部１２から送られたNV_PACKが表すナビゲーションデータに基づいて、DVD-Videoディスク２のPGCやPGの再生シーケンスを決定し、決定した再生シーケンスに従って、順次、再生対象となるアングルブロックまたはCELLを選定する。そして、選定したアングルブロックまたはCELLを構成するVOBUを読み出し、PSとしてＰＳ多重分離部１２に供給する。
【００３３】
また、ナビゲーションマネージャ１１は、シンク装置５１においてPSのデコードに必要となるアングルブロックの構成情報などの各種制御情報を、車載ＬＡＮ４を介して各シンク装置５１に配信する処理なども行う。
次に、シンク装置５１において、ローカルＰＳ多重分離部５１３１は、ローカル車載ＬＡＮインタフェース５１１が、ソース装置１から受信したPSを形成する各VOBUを多重分離し、VOBUから分離したNV_PACKをデコードマネージャ５１２に送り、PSから分離したV_PACKをビデオデコーダ５１３２に送り、PSから分離したA_PACKをオーディオデコーダ５１３５に送り、PSから分離したSP_PACKをサブピクチャデコーダ５１３３に送る。また、ローカルＰＳ多重分離部５１３１、PSから分離したNV_PACKに含まれるHLIをＨＬＩデコーダ５１３４に送る。
【００３４】
ただし、ローカルＰＳ多重分離部５１３１は、ソース装置１から受信したPSに含まれるVOBUの内、アングルブロックを形成するCELLに含まれるVOBUについては、デコードマネージャ５１２から指定されたVOBUのみを多重分離の対象とする。また、ローカルＰＳ多重分離部５１３１は、多重分離の対象となったVOBUのうちのA_PACKについては、現在再生対象オーディオストリーム番号として設定されているストリーム番号のオーディオストリームのA_PACKのみをオーディオデコーダ５１３５に送る。また、ローカルＰＳ多重分離部５１３１は、多重分離の対象となったVOBUのうちのSP_PACKについては、再生対象サブピクチャストリーム番号として設定されているストリーム番号のサブピクチャストリームのSP_PACKのみをサブピクチャデコーダ５１３３に送る。
【００３５】
次に、ビデオデコーダ５１３２は入力するV_PACKに含まれる動画データを復号した動画を合成処理部５１３６に送る。また、サブピクチャデコーダ５１３３は入力するSP_PACKに含まれるサブピクチャデータを復号したサブピクチャを合成処理部５１３６に送り、ＨＬＩデコーダ５１３４は入力したHLIをデコードして合成処理部５１３６に送る。そして、合成処理部５１３６は、入力するサブピクチャとＨＬＩとより定義されるボタンを含めた画像を生成し、入力する動画と合成して表示画像として、表示制御装置を介して表示装置５２に出力する。一方、オーディオデコーダ５１３５は入力するA_PACKに含まれるオーディオデータを復号し、音声出力装置５３に出力する。
【００３６】
ここで、デコードマネージャ５１２は、自シンク装置で再生するアングルのアングル番号、自シンク装置で再生するオーディオストリームのストリーム番号、自シンク装置で再生するサブピクチャストリームのストリーム番号を管理している。そして、デコードマネージャ５１２は、ローカル車載ＬＡＮインタフェース５１１を介してソース装置１のナビゲーションマネージャ１１から受信する制御情報に含まれるアングルブロックの構成情報に基づいて、ソース装置１から受信したPSに含まれるVOBUの内の、アングルブロックを形成するCELLに含まれるVOBUについては、管理しているアングル番号に対応づけられたVOBUのみを多重分離の対象とするように、ローカルＰＳ多重分離部５１３１に指定する。また、デコードマネージャ５１２は、管理しているオーディオストリームのストリーム番号を、再生対象オーディオストリーム番号として、ローカルＰＳ多重分離部５１３１に設定し、管理しているサブピクチャのストリーム番号を、再生対象サブピクチャストリーム番号として、ローカルＰＳ多重分離部５１３１に設定する。
【００３７】
さて、このような構成においてソース装置１のナビゲーションマネージャ１１は、図４に示す配信データ設定処理を行う。
図示するように、この処理においてナビゲーションマネージャ１１は、DVD-Videoディスク２に記録された、新たなビデオタイトルが再生対象となるのを待つ（ステップ４０２）。
そして、新たなビデオタイトルが再生対象となったならば、各シンク装置５１のデコードマネージャ５１２が管理している当該シンク装置５１で再生するアングルのアングル番号、当該シンク装置５１で再生するオーディオストリームのストリーム番号、当該シンク装置シンク装置で再生するサブピクチャストリームのストリーム番号を取得する（ステップ４０４、４０６、４０８）。
【００３８】
そして、次に、取得したアングル番号と、取得したオーディオストリームのストリーム番号と、取得したサブピクチャストリームのストリーム番号とより、ビデオデータの伝送用に使用可能な車載ＬＡＮ４上の帯域を見積もる（ステップ４１０）。すなわち、いずれかのシンク装置５１について取得される、アングル番号Ａとオーディオストリームのストリーム番号Ｂの組み合わせ(Ａ,Ｂ)の数を、配信が必要なオーディオストリームのストリーム数として算出する。また、いずれかのシンク装置５１について取得される、アングル番号Ａとサブピクチャストリームのストリーム番号Ｃの組み合わせ(Ａ,Ｃ)の数を、配信が必要なオーディオストリームのストリーム数として算出する。そして、オーディオデータのデータレートやサブピクチャのデータレートを考慮しつつ、配信が必要なストリーム数分のオーディオストリームを伝送するために必要となる帯域と、配信が必要なストリーム数分のサブピクチャストリームを伝送するために必要となる帯域を算出し、車載ＬＡＮ４上に確保可能な帯域より、算出したオーディオストリームの伝送に必要となる帯域とサブピクチャストリームの伝送に必要となる帯域の和を減じて、ビデオデータの伝送用に使用可能な車載ＬＡＮ４上の帯域を見積もる。
【００３９】
そして、見積もったビデオデータの伝送用に使用可能な車載ＬＡＮ４上の帯域を、取得したアングル番号の数で除算した値を、トランスコード後のデータレートとして、ビデオトランスコード部１３に設定する（ステップ４１２）。前述したように、ビデオトランスコード部１３は、ＰＳ多重分離部１２から送られたV_PACKの動画データを、ナビゲーションマネージャ１１から設定されたデータレートの動画データに変換するレート変換を行い、レート変換後の動画データを格納した、V_PACKをＰＳ多重化部１４に送る。
【００４０】
次に、ナビゲーションマネージャ１１は、各シンク装置５１について取得した、アングル番号Ａとオーディオストリームのストリーム番号Ｂとサブピクチャストリームのストリーム番号Ｃの組み合わせ(Ａ,Ｂ,Ｃ)を記憶し（ステップ４１４）、いずれかのシンク装置５１から取得されたアングル番号の全てを再生対象アングル番号に設定し、ビデオタイトルの再生を開始し（ステップ４１６）、（ステップ４０２）からの処理に戻る。
【００４１】
さて、ビデオタイトルの再生を開始すると、ナビゲーションマネージャ１１は、前述のように、当該ビデオタイトルを構成しているPGCやPGの再生シーケンスを決定し、決定した再生シーケンスに従って、順次、再生対象となるアングルブロックまたはCELLを選定し、選定したアングルブロックまたはCELLを構成するVOBUを読み出し、PSとしてＰＳ多重分離部１２に供給する処理を行う。ただし、ナビゲーションマネージャ１１は、アングルブロックが再生対象となった場合には、そのアングルブロックを構成するVOBUのうち、図４の配信データ設定処理のステップ４１６で再生対象アングル番号として設定されたアングル番号のうちのいずれかに対応づけられたCELLを構成するVOBUのみを読み出して、ＰＳ多重分離部１２に供給する。
【００４２】
また、ナビゲーションマネージャ１１は、VOBUをＰＳ多重分離部１２に供給する際に、そのVOBUが、アングルブロックを構成するCELLに含まれないものである場合には、図４の配信データ設定処理のステップ４１４で記憶したアングル番号Ａとオーディオストリームのストリーム番号Ｂとサブピクチャストリームのストリーム番号Ｃの組み合わせ(Ａ,Ｂ,Ｃ)のいずれかに含まれるオーディオストリームのストリーム番号Ｂの全てとサブピクチャのストリーム番号Ｃの全てとを、それぞれ、そのVOBUについての配信オーディオストリーム番号と配信対象サブピクチャストリーム番号として、ＰＳ多重分離部１２に設定する。また、ナビゲーションマネージャ１１は、VOBUをＰＳ多重分離部１２に供給する際に、そのVOBUが、アングルブロックを構成するCELLに含まれるものである場合には、図４の配信データ設定処理のステップ４１４で記憶したアングル番号Ａとオーディオストリームのストリーム番号Ｂとサブピクチャストリームのストリーム番号Ｃの組み合わせ(Ａ,Ｂ,Ｃ)のうちの、そのVOBUが属するCELLが対応づけられていたために当該VOBUが読み出し及び供給されることとなった再生対象アングル番号をアングル番号Ａとして含む組み合わせのいずれかに含まれるオーディオストリームのストリーム番号Ｂの全てとサブピクチャのストリーム番号Ｃの全てとを、それぞれ、そのVOBUについての配信オーディオストリーム番号と配信対象サブピクチャストリーム番号として、ＰＳ多重分離部１２に設定する。
【００４３】
そして、前述のようにＰＳ多重分離部１２は、このようにしてナビゲーションマネージャ１１によって供給されたVOBUを多重分離する。また、前述のように、ＰＳ多重分離部１２は、供給されたVOBUに含まれるA_PACKについては、そのVOBUについてナビゲーションマネージャ１１から配信対象オーディオストリーム番号として設定されたストリーム番号のオーディオストリームのA_PACKのみを分離してＰＳ多重化部１４に送る。また、同様に、ＰＳ多重分離部１２は、供給されたVOBUに含まれるSP_PACKについては、そのVOBUについてナビゲーションマネージャ１１から配信対象サブピクチャストリーム番号として設定されたストリーム番号のサブピクチャストリームのSP_PACKのみを分離してＰＳ多重化部１４に送る。
【００４４】
結果、ソース装置１から、各シンク装置５１に配信されるデータは、いずれかのシンク装置５１で実際にデコード及び出力されるオーディオストリームのデータと、いずれかのシンク装置５１で実際にデコード及び出力されるサブピクチャストリームのデータと、いずれかのシンク装置５１で実際にデコード及び出力されるアングル番号のビデオデータのみを含むものとなる。
【００４５】
すなわち、たとえば、図５ａに示すように、モニタシステムＡとモニタシステムＢの二つのモニタシステム５のみが存在し、自シンク装置で再生するアングルのアングル番号としてモニタシステムＡとモニタシステムＢの双方のシンク装置５１にアングル＃１が設定されており、自シンク装置で再生するオーディオストリームのストリーム番号としてモニタシステムＡのシンク装置５１にはAST#2が モニタシステムＢのシンク装置５１にはAST#１が設定されており、自シンク装置で再生するサブピクチャストリームのストリーム番号としてモニタシステムＡのシンク装置５１にはSPST#2が モニタシステムＢのシンク装置５１にはSPST#4が設定されている場合に、DVD-Videoディスク２に図５ｂに示すようにPSが記録されているときには、シンク装置５１には、図５ｃに示すように、アングルブロック外のCELLとアングルブロック内のアングル＃１に対応づけられたCELLを構成するVOBUのみが抽出されて配信されることになる。また、この配信されるVOBUには、DVD-Videoディスク２から読み出されたVOBUに含まれていた各オーディオストリームAST#１-AST#3に対応するA_PACKのうち、モニタシステムＢで再生されるAST#１のストリーム番号のオーディオストリームのA_PACKと、モニタシステムＡで再生されるAST#2のストリーム番号のオーディオストリームのA_PACKのみが抽出されて含められることになる。また、同様に、配信されるVOBUには、DVD-Videoディスク２から読み出されたVOBUに含まれていた各サブピクチャストリームSPST#１-SPST#4に対応するSP_PACKのうち、モニタシステムＡで再生されるSPST#2のストリーム番号のサブピクチャストリームのSP_PACKと、モニタシステムＢで再生されるSPST#4のストリーム番号のサブピクチャトリームのSP_PACKのみが抽出されて含められることになる。
【００４６】
また、たとえば、図６ａに示すように、モニタシステムＡとモニタシステムＢの二つのモニタシステム５のみが存在し、自シンク装置で再生するアングルのアングル番号としてモニタシステムＡにアングル＃３が設定されており、モニタシステムＢのシンク装置５１にアングル＃１が設定されており、自シンク装置で再生するオーディオストリームのストリーム番号としてモニタシステムＡのシンク装置５１にはAST#2が モニタシステムＢのシンク装置５１にはAST#１が設定されており、自シンク装置で再生するサブピクチャストリームのストリーム番号としてモニタシステムＡのシンク装置５１にはSPST#2が モニタシステムＢのシンク装置５１にはSPST#4が設定されている場合に、DVD-Videoディスク２に図５ｂに示すようにPSが記録されているときには、シンク装置５１には、図６ｂに示すように、アングルブロック外のCELLと、アングルブロック中のアングル＃１とアングル＃３に対応づけられたCELLを構成するVOBUのみが抽出されて配信されることになる。
【００４７】
また、配信されるアングルブロック中のアングル＃１に対応づけられたCELLを構成するVOBUには、DVD-Videoディスク２から読み出されたVOBUに含まれていた各オーディオストリームAST#１-AST#3に対応するA_PACKと各サブピクチャストリームSPST#１-SPST#4に対応するSP_PACKのうち、アングル＃１が設定されているモニタシステムＢで再生されるAST#１のストリーム番号のオーディオストリームのA_PACKと、当該モニタシステムＢで再生されるSPST#4のストリーム番号のサブピクチャストリームのSP_PACKのみが抽出されて含められることになる。また、配信されるアングルブロック中のアングル＃３に対応づけられたCELLを構成するVOBUには、DVD-Videoディスク２から読み出されたVOBUに含まれていた各オーディオストリームAST#１-AST#3に対応するA_PACKと各サブピクチャストリームSPST#１-SPST#4に対応するSP_PACKのうち、アングル＃３が設定されているモニタシステムＡで再生されるAST#2のストリーム番号のオーディオストリームのA_PACKと、当該モニタシステムＡで再生されるSPST#2のストリーム番号のサブピクチャストリームのSP_PACKのみが抽出されて含められることになる。また、配信されるアングルブロック外のCELLを構成するVOBUには、DVD-Videoディスク２から読み出されたVOBUに含まれていた各オーディオストリームAST#１-AST#3に対応するA_PACKと各サブピクチャストリームSPST#１-SPST#4に対応するSP_PACKのうち、モニタシステムＢで再生されるAST#１のストリーム番号のオーディオストリームのA_PACKとモニタシステムＡで再生されるAST#2のストリーム番号のオーディオストリームのA_PACKと、モニタシステムＡで再生されるSPST#2のストリーム番号のサブピクチャストリームのSP_PACKとモニタシステムＢで再生されるSPST#4のストリーム番号のサブピクチャストリームのSP_PACKのみが抽出されて含められることになる。
【００４８】
なお、実際には、アングルブロックを構成する異なるCELLのVOBUは１または複数のVOBU毎にインタリーブ配置して記憶されている。また、アングルブロックを構成するCELLのVOBUの配信も、異なるCELLのVOBUを１または複数のVOBU毎にインタリーブ配置して配信することにより行う。
【００４９】
以下、ＤＶＤビデオ再生システムにおける、各シンク装置５１で再生するアングルのアングル番号、オーディオストリームのストリーム番号、サブピクチャストリームのストリーム番号の設定／変更の動作について説明する。
各モニタシステム５のユーザインタフェースユニット５４は、再生対象とするアングル番号やオーディオストリームのストリーム番号やサブピクチャストリームのストリーム番号の切替操作をユーザから受け付け、受け付けたユーザ操作の内容を表すユーザ操作情報を、車載ＬＡＮ４を介して同じモニタシステム５に属するシンク装置５１のデコードマネージャ５１２に通知する。
【００５０】
そして、各モニタシステム５のシンク装置５１のデコードマネージャ５１２は、管理している自シンク装置で再生するアングルのアングル番号、自シンク装置で再生するオーディオストリームのストリーム番号、自シンク装置で再生するサブピクチャストリームのストリーム番号を、同じモニタシステム５に属するユーザインタフェースユニット５４から通知されたユーザ操作情報が示すユーザ操作の内容に応じて変更する。
【００５１】
また、ソース装置１のナビゲーションマネージャ１１は、DVD-Videoディスク２から読み出したナビゲーションデータに従って、各シンク装置５１で再生するアングルのアングル番号、オーディオストリームのストリーム番号、サブピクチャストリームのストリーム番号を設定する処理も行う。そして、このようなナビゲーションデータに従った設定を行った場合には、設定したアングル番号オーディオストリームのストリーム番号サブピクチャストリームのストリーム番号を、各シンク装置５１に通知する。そして、各モニタシステム５のシンク装置５１のデコードマネージャ５１２は、ソース装置１からの通知を受けた場合にも、管理している自シンク装置で再生するアングルのアングル番号、自シンク装置で再生するオーディオストリームのストリーム番号、自シンク装置で再生するサブピクチャストリームのストリーム番号を、当該通知に応じて変更する。
【００５２】
ただし、ナビゲーションマネージャ１１、デコードマネージャ５１２は、ビデオタイトル再生中は、各シンク装置５１で再生するアングルのアングル番号、自シンク装置で再生するオーディオストリームのストリーム番号、自シンク装置で再生するサブピクチャストリームのストリーム番号の変更は行わない。
【００５３】
なお、各シンク装置５１におけるビデオタイトル再生中の有無の判定は、たとえば、ソース装置１のナビゲーション装置から各シンク装置５１にビデオタイトル再生中の有無を通知するようにすると共に、各シンク装置５１において当該通知に基づいてビデオタイトル再生中の有無を判定することにより行う。
【００５４】
また、この場合、ソース装置１のナビゲーションマネージャ１１は、前述した、各シンク装置５１の再生対象とするアングル番号やオーディオストリームのストリーム番号やサブピクチャストリームのストリーム番号の取得を、各シンク装置５１に車載ＬＡＮ４を介して各シンク装置５１のデコードマネージャ５１２に問い合わせを発行することにより行う。この場合、ソース装置１から問い合わせを受けた各シンク装置５１のデコードマネージャ５１２は、管理している再生対象のアングル番号やオーディオストリームのストリーム番号やサブピクチャストリームのストリーム番号をソース装置５１に応答する。
【００５５】
以上、ＤＶＤビデオ再生システムにおける、各シンク装置５１で再生するアングルのアングル番号オーディオストリームのストリーム番号サブピクチャストリームのストリーム番号の設定／変更の動作について説明した。
なお、このＤＶＤビデオ再生システムにおける、各シンク装置５１で再生するアングルのアングル番号オーディオストリームのストリーム番号サブピクチャストリームのストリーム番号の設定／変更の動作は、たとえば、次のように行うようにしてもよい。すなわち、各モニタシステム５のユーザインタフェースユニット５４は、受け付けたユーザ操作の内容を表すユーザ操作情報を、同モニタシステムに属するシンク装置５１に代えて、ソース装置１に通知する。そして、ソース装置１のナビゲーションマネージャ１１は、通知されたユーザ操作情報が示すユーザ操作の内容に応じて、各シンク装置５１で再生するアングルのアングル番号、オーディオストリームのストリーム番号、サブピクチャストリームのストリーム番号を決定すると共に、決定したアングル番号オーディオストリームのストリーム番号サブピクチャストリームのストリーム番号を、各シンク装置５１に通知する。また、ソース装置１のナビゲーションマネージャ１１は、DVD-Videoディスク２から読み出したナビゲーションデータに従って、各シンク装置５１で再生するアングルのアングル番号、オーディオストリームのストリーム番号、サブピクチャストリームのストリーム番号を設定する処理も行い、このようなナビゲーションデータに従った設定を行った場合には、設定したアングル番号オーディオストリームのストリーム番号、サブピクチャストリームのストリーム番号を、各シンク装置５１に通知する。一方、各モニタシステム５のシンク装置５１のデコードマネージャ５１２は、管理している自シンク装置で再生するアングルのアングル番号、自シンク装置で再生するオーディオストリームのストリーム番号、自シンク装置で再生するサブピクチャストリームのストリーム番号を、ソース装置１からの通知に応じて変更する。
【００５６】
ただし、この場合、ソース装置１のナビゲーションマネージャ１１は、ビデオタイトル再生中は、各シンク装置５１で再生するアングルのアングル番号、自シンク装置で再生するオーディオストリームのストリーム番号、自シンク装置で再生するサブピクチャストリームのストリーム番号の変更は行わないようにする。
【００５７】
以上、本発明の実施形態について説明した。
ところで、以上の実施形態では、ビデオタイトルを単位として、ソース装置１におけるデータを配信するオーディオストリームやサブピクチャストリームやアングルの設定や、ビデオデータのトランスコードのデータレートの設定を行い、ビデオタイトル再生中における各シンク装置５１においてデコード及び出力するオーディオストリームやサブピクチャストリームやアングルの切替を禁止した。これは、単一のビデオタイトルの再生途中において、配信されるビデオデータのデータレートが変化が生じて、各モニタシステム５で表示される画質が変化してしまうことを抑止するためである。しかし、このような単一のビデオタイトルの再生途中における画質の変化を許容する場合には、ビデオタイトル再生中における各シンク装置５１においてデコード及び出力するオーディオストリームやサブピクチャストリームやアングルの切替を許容すると共に、ソース装置１におけるデータを配信するオーディオストリームやサブピクチャストリームやアングルの設定や、ビデオデータのトランスコードのデータレートの設定を、各シンク装置５１においてデコード及び出力するオーディオストリームやサブピクチャストリームやアングルの切替に応じて、随時行うようにしてもよい。または、ソース装置１におけるビデオデータのトランスコードのデータレートの設定を固定すると共に、ビデオタイトル再生中における各シンク装置５１においてデコード及び出力するオーディオストリームやサブピクチャストリームやアングルの切替を許容し、ソース装置１におけるデータを配信するオーディオストリームやサブピクチャストリームやアングルの設定のみを、各シンク装置５１においてデコード及び出力するオーディオストリームやサブピクチャストリームやアングルの切替に応じて、随時行うようにしてもよい。
【００５８】
以上のように、本実施形態によれば、ソース装置１から各シンク装置５１に配信されるビデオデータ、オーディオデータ、サブピクチャデータは、いずれかのシンク装置５１で実際にデコード及び出力されるデータのみとなる。したがって、ソース装置１から各シンク装置５１への効率的なデータ配信を実現することができる。また、このように、配信するビデオデータ、オーディオデータ、サブピクチャデータを、いずれかのシンク装置５１で実際にデコード及び出力されるデータに限定しつつ、確保される伝送帯域をフルに使用するように配信するビデオデータのデータレートを変更するので、各シンク装置５１が行うビデオ表示の画質を可及的に向上することができる。
【図面の簡単な説明】
【００５９】
【図１】本発明の実施形態に係るＤＶＤビデオ再生システムの構成を示すブロック図である。
【図２】本発明の実施形態に係るソース装置とシンク装置の構成を示すブロック図である。
【図３】DVD-Videoディスクに記録されているデータの構成を示す図である。
【図４】本発明の実施形態に係るソース装置で行う配信データ設定処理を示すフローチャートである。
【図５】本発明の実施形態に係るＤＶＤビデオ再生システムの配信データの例を示す図である。
【図６】本発明の実施形態に係るＤＶＤビデオ再生システムの配信データの例を示す図である。
【符号の説明】
【００６０】
１…ソース装置、２…DVD-Videoディスク、３…ＤＶＤドライブ、４…車載ＬＡＮ、５…モニタシステム、１１…ナビゲーションマネージャ、１２…ＰＳ多重分離部、１３…ビデオトランスコード部、１４…ＰＳ多重化部、１５…車載ＬＡＮインタフェース、５１…シンク装置、５２…表示装置、５３…音声出力装置、５４…ユーザインタフェースユニット、５１１…ローカル車載ＬＡＮインタフェース、５１２…デコードマネージャ、５１３…プレゼンテーションエンジン、５１３１…ローカルＰＳ多重分離部、５１３２…ビデオデコーダ、５１３３…サブピクチャデコーダ、５１３４…ＨＬＩデコーダ、５１３５…オーディオデコーダ、５１３６…合成処理部。
【図１】
2007142733.tif 000003
【図２】
2007142733.tif 000004
【図３】
2007142733.tif 000005
【図４】
2007142733.tif 000006
【図５】
2007142733.tif 000007
【図６】
2007142733.tif 000008